(57)【要約】【課題】見栄えのよいスライドショーを簡単に作成できるようにする制御プログラム及び記録装置の提供。【解決手段】制御プログラムは、コンピュータを、入力された画像データの数量と、音楽データの再生時間（又は動画データの再生時間を引いた時間）とに基づいてスライド表示時間を算出するスライド表示時間算出手段１４、算出されたスライド表示時間が予め定められた基準時間よりも長い場合に、入力された静止画像データに基づいて挿入する静止画像データを作成したり、入力された静止画像データの中から挿入する静止画像データを選択したり、予め記憶された静止画像データの中から挿入する静止画像データを選択するなどの画像挿入処理を実行する画像挿入手段１５、として機能させる。これにより、適切なスライド表示時間で画像が表示されるスライドショーを簡単に作成することができる。【選択図】図７
2007019923.tif 000002
【特許請求の範囲】
【請求項１】
コンピュータを、
スライドショーで使用される音楽データの再生時間を入力された静止画像データの数量で除算して、前記静止画像データ毎のスライド表示時間を算出するスライド表示時間算出手段、
前記スライド表示時間が予め定められた基準時間よりも長い場合に、所定の数量の静止画像データを挿入する処理を実行させる画像挿入手段、として機能させることを特徴とする制御プログラム。
【請求項２】
コンピュータを、
スライドショーで使用される音楽データの再生時間から入力された動画データの再生時間を減算した時間を入力された静止画像データの数量で除算して、前記静止画像データ毎のスライド表示時間を算出するスライド表示時間算出手段、
前記スライド表示時間が予め定められた基準時間よりも長い場合に、所定の数量の静止画像データを挿入する処理を実行させる画像挿入手段、として機能させることを特徴とする制御プログラム。
【請求項３】
前記所定の数量は、前記音楽データの再生時間又は前記音楽データの再生時間から前記動画データの再生時間を減算した時間を前記基準時間以下の特定の時間で除算し、該除算した値から前記入力された静止画像データの数量を減算して算出されることを特徴とする請求項１又は２に記載の制御プログラム。
【請求項４】
挿入される前記静止画像データは、前記入力された静止画像データに基づいて作成された静止画像データ、前記入力された静止画像データの中から選択された静止画像データ、又は、予め記憶された静止画像データのいずれかであることを特徴とする請求項１乃至３のいずれか一に記載の制御プログラム。
【請求項５】
前記作成された静止画像データは、前記入力された静止画像データをトリミングした静止画像データ、前記入力された静止画像データを回転した静止画像データ、前記入力された静止画像データの色又は濃度を変換した静止画像データ、又は、前記入力された静止画像データに基づく画像を配列して表示した静止画像データのいずれかを含むことを特徴とする請求項４記載の制御プログラム。
【請求項６】
スライドショーで使用される静止画像データを入力するデータ入力手段と、
スライドショーで使用される音楽データの再生時間を前記静止画像データの数量で除算して、前記静止画像データ毎のスライド表示時間を算出するスライド表示時間算出手段と、
前記スライド表示時間が予め定められた基準時間よりも長い場合に、所定の数量の静止画像データを挿入する処理を実行させる画像挿入手段と、
入力された前記静止画像データ及び挿入された前記静止画像データと、前記音楽データとに基づいて、音楽付きスライドショーを再生するための特定形式のデータを生成するデータ生成手段と、
少なくとも前記特定形式のデータを記録媒体に記録させるデータ記録手段と、を少なくとも備えることを特徴とする記録装置。
【請求項７】
スライドショーで使用される静止画像データ及び動画データを入力するデータ入力手段と、
スライドショーで使用される音楽データの再生時間から前記動画データの再生時間を減算した時間を前記静止画像データの数量で除算して、前記静止画像データ毎のスライド表示時間を算出するスライド表示時間算出手段と、
前記スライド表示時間が予め定められた基準時間よりも長い場合に、所定の数量の静止画像データを挿入する処理を実行させる画像挿入手段と、
入力された前記静止画像データ及び挿入された前記静止画像データと、入力された前記動画データと、前記音楽データとに基づいて、音楽付きスライドショーを再生するための特定形式のデータを生成するデータ生成手段と、
少なくとも前記特定形式のデータを記録媒体に記録させるデータ記録手段と、を少なくとも備えることを特徴とする記録装置。
【請求項８】
前記所定の数量は、前記音楽データの再生時間又は前記音楽データの再生時間から前記動画データの再生時間を減算した時間を前記基準時間以下の特定の時間で除算し、該除算した値から前記入力された静止画像データの数量を減算して算出されることを特徴とする請求項６又は７に記載の記録装置。
【請求項９】
挿入される前記静止画像データは、前記入力された静止画像データに基づいて作成された静止画像データ、前記入力された静止画像データの中から選択された静止画像データ、又は、予め記憶された静止画像データのいずれかであることを特徴とする請求項６乃至８のいずれか一に記載の記録装置。
【請求項１０】
前記作成された静止画像データは、前記入力された静止画像データをトリミングした静止画像データ、前記入力された静止画像データを回転した静止画像データ、前記入力された静止画像データの色又は濃度を変換した静止画像データ、又は、前記入力された静止画像データに基づく画像を配列して表示した静止画像データのいずれかを含むことを特徴とする請求項９記載の記録装置。
【請求項１１】
前記データ生成手段では、前記作成された静止画像データが作成元の前記入力された静止画像データの後で表示されるように、スライド表示順を設定することを特徴とする請求項１０記載の記録装置。
【請求項１２】
前記特定形式のデータは、Ｖｉｄｅｏ−ＣＤ形式のデータ、ＤＶＤ−Ｖｉｄｅｏ形式のデータ、又は、ＨＤＴＶ形式のデータのいずれかであることを特徴とする請求項６乃至１１のいずれか一に記載の記録装置。
【発明の詳細な説明】
【技術分野】
【０００１】
本発明は、画像データを音楽付きスライドショーとして再生するためのデータを作成するための制御プログラム及び該データを記録媒体に記録する記録装置に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、画像データと共に、これらの画像データを音楽付きスライドショーとして再生するための音楽データやスライドショープログラムをＣＤ−ＲやＤＶＤ−Ｒなどの記録媒体に書き込むサービスや、これらの画像データをＤＶＤプレーヤやＤＶＤレコーダ、ＨＤＤレコーダ、ゲーム機などの家電機器で音楽付きスライドショーとして再生するためのデータ（以下、家電機器用データと呼ぶ。）を作成してＣＤ−ＲやＤＶＤ−Ｒなどの記録媒体に書き込むサービスも行われている。
【０００４】
【特許文献１】特開平１１−８８１７号公報（第３−４頁、第１図）
【発明の開示】
【発明が解決しようとする課題】
【０００５】
上記サービスを用いて作成された記録媒体を利用することにより、デジタルカメラやメディアから読み取った画像データを音楽付きスライドショーとして再生することができるが、音楽付きスライドショーでは、音楽と画像との一体感を生じさせることによってその見栄えを良くすることができることから、画像の表示と音楽の再生とが同期するようにスライドショーが作成される。
【０００６】
その際、デジタルカメラやメディアに記録された画像データの数量と、音楽データの再生時間とが適切な関係にある場合は、画像の表示と音楽の再生とを同期させることによって一体感のあるスライドショーを作成することができるが、例えば、音楽データの再生時間に比べて画像データの数量が少ない場合には、一枚の画像のスライド表示時間が長くなって間延びしたスライドショーになってしまうため、スライドショーの見栄えが悪くなってしまうという問題がある。
【０００７】
本発明は、上記問題点に鑑みてなされたものであって、その主たる目的は、見栄えのよいスライドショーを簡単に作成することができるようにする制御プログラム及びスライドショー用データを記録媒体に記録する記録装置を提供することにある。
【課題を解決するための手段】
【０００８】
上記目的を達成するため、本発明の制御プログラムは、コンピュータを、スライドショーで使用される音楽データの再生時間を入力された静止画像データの数量で除算して、前記静止画像データ毎のスライド表示時間を算出するスライド表示時間算出手段、前記スライド表示時間が予め定められた基準時間よりも長い場合に、所定の数量の静止画像データを挿入する処理を実行させる画像挿入手段、として機能させるものである。
【０００９】
また、本発明の制御プログラムは、コンピュータを、スライドショーで使用される音楽データの再生時間から入力された動画データの再生時間を減算した時間を入力された静止画像データの数量で除算して、前記静止画像データ毎のスライド表示時間を算出するスライド表示時間算出手段、前記スライド表示時間が予め定められた基準時間よりも長い場合に、所定の数量の静止画像データを挿入する処理を実行させる画像挿入手段、として機能させるものである。
【００１０】
また、本発明の記録装置は、スライドショーで使用される静止画像データを入力するデータ入力手段と、スライドショーで使用される音楽データの再生時間を前記静止画像データの数量で除算して、前記静止画像データ毎のスライド表示時間を算出するスライド表示時間算出手段と、前記スライド表示時間が予め定められた基準時間よりも長い場合に、所定の数量の静止画像データを挿入する処理を実行させる画像挿入手段と、入力された前記静止画像データ及び挿入された前記静止画像データと、前記音楽データとに基づいて、音楽付きスライドショーを再生するための特定形式のデータを生成するデータ生成手段と、少なくとも前記特定形式のデータを記録媒体に記録させるデータ記録手段と、を少なくとも備えるものである。
【００１１】
また、本発明の記録装置は、スライドショーで使用される静止画像データ及び動画データを入力するデータ入力手段と、スライドショーで使用される音楽データの再生時間から前記動画データの再生時間を減算した時間を前記静止画像データの数量で除算して、前記静止画像データ毎のスライド表示時間を算出するスライド表示時間算出手段と、前記スライド表示時間が予め定められた基準時間よりも長い場合に、所定の数量の静止画像データを挿入する処理を実行させる画像挿入手段と、入力された前記静止画像データ及び挿入された前記静止画像データと、入力された前記動画データと、前記音楽データとに基づいて、音楽付きスライドショーを再生するための特定形式のデータを生成するデータ生成手段と、少なくとも前記特定形式のデータを記録媒体に記録させるデータ記録手段と、を少なくとも備えるものである。
【００１２】
本発明においては、前記所定の数量は、前記音楽データの再生時間又は前記音楽データの再生時間から前記動画データの再生時間を減算した時間を前記基準時間以下の特定の時間で除算し、該除算した値から前記入力された静止画像データの数量を減算して算出される構成とすることができる。
【００１３】
また、本発明においては、挿入される前記静止画像データは、前記入力された静止画像データに基づいて作成された静止画像データ、前記入力された静止画像データの中から選択された静止画像データ、又は、予め記憶された静止画像データのいずれかとすることができる。
【００１４】
また、本発明においては、前記作成された静止画像データは、前記入力された静止画像データをトリミングした静止画像データ、前記入力された静止画像データを回転した静止画像データ、前記入力された静止画像データの色又は濃度を変換した静止画像データ、又は、前記入力された静止画像データに基づく画像を配列して表示した静止画像データのいずれかを含む構成とすることができ、前記データ生成手段では、前記作成された静止画像データが作成元の前記入力された静止画像データの後で表示されるように、スライド表示順を設定する構成とすることができる。
【００１５】
また、本発明においては、前記特定形式のデータは、Ｖｉｄｅｏ−ＣＤ形式のデータ、ＤＶＤ−Ｖｉｄｅｏ形式のデータ、又は、ＨＤＴＶ形式のデータのいずれかであることが好ましい。
【００１６】
このように、本発明によれば、音楽データの再生時間（又は音楽データの再生時間から入力された動画データの再生時間を減算した時間）と入力された静止画像データの数量とを用いて算出される静止画像データ毎のスライド表示時間が予め定められた基準時間よりも長い場合に、所定の数量の静止画像データの挿入処理が実行されるため、画像が間延びして表示されることのない、画像と音楽との一体感のあるスライドショーを簡単に作成することができる。
【発明の効果】
【００１７】
本発明の制御プログラム及び記録装置によれば、画像が間延びして表示されることのない、画像と音楽との一体感のあるスライドショーを簡単に作成することができるという効果が得られる。
【００１８】
その理由は、音楽データの再生時間（又は音楽データの再生時間から入力された動画データの再生時間を減算した時間）を入力された静止画像データの数量で除算して静止画像データ毎のスライド表示時間が算出され、算出されたスライド表示時間が予め定められた基準時間よりも長い場合に、所定の数量の静止画像データを挿入する画像挿入処理が実行され、入力された静止画像データ（又は静止画像データ及び動画データ）と挿入された静止画像データと音楽データとに基づいてスライドショーが作成されるからである。
【発明を実施するための最良の形態】
【００１９】
本発明の制御プログラムは、その好ましい一実施の形態において、コンピュータを、デジタルカメラやメディアなどから入力された画像データの数量と、選択された音楽データの再生時間（又は音楽データの再生時間から入力された動画データの再生時間を減算した時間）とに基づいて静止画像データ毎のスライド表示時間を算出するスライド表示時間算出手段、算出されたスライド表示時間が予め定められた基準時間よりも長い場合に、入力された静止画像データに基づいて挿入する静止画像データを作成したり、入力された静止画像データの中から挿入する静止画像データを選択したり、予め記憶された静止画像データの中から挿入する静止画像データを選択するなどの画像挿入処理を実行する画像挿入手段、として機能させるものであり、適切なスライド表示時間で各画像データが表示される見栄えのよいスライドショーを簡単に作成することができる。
【実施例】
【００２０】
上記実施形態について詳細に説明すべく、本発明の一実施例に係る制御プログラム及び記録装置について、図１乃至図１６を参照して説明する。図１は、本実施例に係る記録装置の構成を模式的に示す図であり、図２乃至図６は、そのバリエーションを示す図である。また、図７は、記録装置の手段を示すブロック図であり、図８は、記録装置を用いた処理の手順を示すフローチャート図である。また、図９及び図１０は、家電機器用データを生成する手順を模式的に示す図であり、図１１は、挿入する静止画像データの例を示す図である。また、図１２及び図１３は、記録装置の表示手段に表示される画面の構成例を示す図であり、図１４は、記録媒体におけるデータの記録構造を示す図、図１５は、記録媒体におけるデータの記録領域を示す図、図１６は、記録媒体（ＣＤ−Ｒ）の構造を模式的に示す図である。
【００２１】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２と、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３と、インターネット等の通信ネットワーク１１を介してサーバ１０に接続するネットワーク接続部と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２２】
また、記録装置１に備える主な手段をブロック図で示すと図７のようになり、必要に応じて記録媒体装填部４に装填された記録媒体９が特定の記録媒体であるかを識別する記録媒体識別手段１２と、メディア装填部２、機器接続部３、ネットワーク接続部等を用いて画像データ（静止画像データのみ、又は静止画像データと動画データの双方）を入力するデータ入力手段１３と、デジタルカメラやメディアなどから入力された静止画像データの数量と、選択された音楽データの再生時間（又は音楽データの再生時間から入力された動画データの再生時間を減算した時間）とに基づいて静止画像データ毎のスライド表示時間を算出するスライド表示時間算出手段１４と、算出されたスライド表示時間が予め定められた基準時間よりも長い場合に、入力された静止画像データに基づいて挿入する静止画像データを生成したり、入力された静止画像データの中から挿入する静止画像データを選択したり、予め記憶された静止画像データの中から挿入する静止画像データを選択するなどの画像挿入処理を実行する画像挿入手段１５と、入力された静止画像データ（又は入力された静止画像データ及び動画データ）と挿入された静止画像データと音楽データとに基づいてＤＶＤプレーヤやＤＶＤレコーダ、ＨＤＤレコーダ、ゲーム機などの家電機器で利用可能なＶｉｄｅｏ−ＣＤ形式、ＤＶＤ−Ｖｉｄｅｏ形式、ＨＤＴＶ形式などの家電機器用データを生成するデータ生成手段１６と、生成された家電機器用データや入力された画像データ、挿入された静止画像データなどを記録媒体９に記録するデータ記録手段１７と、スライド表示の基準時間や推奨値、スライドショーのＢＧＭとして使用される音楽データ、挿入する静止画像データなどを記憶する記憶手段１８と、表示手段５に、静止画像データを挿入させるための画面などを表示させる表示制御手段１９と、表示手段５及び操作手段６とを備えている。
【００２３】
なお、上記各手段は記録装置１にハードウェアとして構成されていてもよいが、コンピュータを、少なくとも、スライド表示時間算出手段１４、画像挿入手段１５として機能させる制御プログラムとして構成し、該制御プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２４】
上記構成の記録装置１（制御プログラム）を用いて、スライドショー用データ（家電機器用データ）を生成し記録媒体９に記録するまでの手順について、図８のフローチャート図を参照して説明する。なお、以下では、Ｖｉｄｅｏ−ＣＤ形式の家電機器用データを生成する場合について示すが、ＤＶＤ−Ｖｉｄｅｏ形式やＨＤＴＶ形式などの家電機器用データを生成する場合も同様に適用することができる。
【００２５】
まず、ステップＳ１０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填する。この記録媒体９として市販されている任意の記録媒体を用いることができるが、特定の記録媒体９に対してのみデータの記録が行われるようにしてもよく、その場合は、記録媒体９の所定の領域に記録媒体９を識別するための識別情報が記録されているか否かに基づいて記録媒体９を識別することができる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２６】
ここで、一般的な記録媒体９（ＣＤ−Ｒ）の構造について、図１６を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００２７】
そして、ステップＳ１０２で、読み取った識別情報を参照して特定の記録媒体９を識別し、装填された記録媒体９が特定の記録媒体でない場合は、該記録媒体９を排出して処理を終了又はステップＳ１０１に戻る。また、装填された記録媒体９が特定の記録媒体である場合は、表示制御手段１９は表示手段５にメニュー画面を表示させ、ユーザが操作手段６を操作してメニュー画面の中からアルバムの作成を指示すると、表示手段５に画像データの読み取り先を選択する画面を表示させる。そして、ユーザが操作手段６を操作して所望の読み取り先を選択すると、表示制御手段１９は表示手段５に、例えばメディア８をメディア装填部２に装填、又はデジタルカメラ７を機器接続部３に接続するように促すメッセージを表示させる。
【００２８】
次に、ステップＳ１０３で、メッセージの指示に従って、例えば記録装置１のメディア装填部２にメディア８を装填、又は機器接続部３にデジタルカメラ７を接続すると、ステップＳ１０４で、データ入力手段１３は、メディア８やデジタルカメラ７などから画像データ（静止画像データ、又は、静止画像デー及び動画データ）を読み取る。この画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１０などであってもよい。
【００２９】
そして、画像データの読み取りが終了すると、表示制御手段１９は、表示手段５に例えば図１２に示すような画像選択画面２０を表示させる。この画像選択画面２０には、読み取った画像データに基づく画像を一覧表示する一覧表示欄２１と、その中から選択した画像を拡大表示する拡大表示欄２２と、作業を選択する作業メニュー欄２３などが設けられており、必要に応じて画像データを選択した後、画像の順番を変えたり、タイトルを入力したり、フォトフレームを作成したり、画像に文字を合成するなどの処理を行う。
【００３０】
次に、ステップＳ１０５で、作業メニュー欄２３からＢＧＭとして再生する音楽データを選択するためのボタン（”ＢＧＭを選ぶ”ボタン）を選択すると、表示制御手段１９は、表示手段５に例えば図１３に示すようなＢＧＭ選択画面２４を表示させる。このＢＧＭ選択画面２４には、音楽データの読み取り先を選択する読み取り先選択欄２５と、選択した読み取り先に記録されている音楽データを一覧表示する一覧表示欄２６と、作業を選択する作業メニュー欄２３などが設けられており、読み取り先選択欄２５の中から所望の読み取り先を選択し、選択した読み取り先に記録された音楽データの中からスライドショーのＢＧＭとして利用する音楽データを選択する。
【００３１】
次に、ステップＳ１０６で、スライド表示時間算出手段１４は、入力された静止画像データ又は選択された静止画像データ（以下、入力された静止画像データとして説明する。）のスライド表示時間を算出する。具体的には、入力された画像データが静止画像データのみで構成されている場合は、下記式１に示すように、選択した音楽データのヘッダ情報などから該音楽データの再生時間を読み取り、その音楽データの再生時間（ＴＢＧＭ）を静止画像データの数量（ＮＰＨＯＴＯ）で除算して静止画像データ毎のスライド表示時間（ＴＳＬＩＤＥ）を算出する。また、入力された画像データが静止画像データと動画データとで構成されている場合は、下記式２に示すように、動画データのヘッダ情報などから該動画データの再生時間を読み取り、選択した音楽データの再生時間（ＴＢＧＭ）から動画データの再生時間（ＴＭＯＶＩＥ）を減算した時間を静止画像データの数量（ＮＰＨＯＴＯ）で除算して静止画像データ毎のスライド表示時間（ＴＳＬＩＤＥ）を算出する。例えば、音楽データの再生時間が２分で静止画像データの数量が１０個の場合は、式１から各々の静止画像データのスライド表示時間は１２秒となる。
【００３２】
ＴＳＬＩＤＥ＝ＴＢＧＭ／ＮＰＨＯＴＯ      …（１）
ＴＳＬＩＤＥ＝（ＴＢＧＭ−ＴＭＯＶＩＥ）／ＮＰＨＯＴＯ      …（２）
【００３３】
次に、ステップＳ１０７で、画像挿入手段１５は、算出した静止画像データ毎のスライド表示時間と予め定められた基準時間との比較を行う。この基準時間は、静止画像データをスライドショーとして再生する場合に、間延びすることなく画像を閲覧することができる許容時間の最大値として経験的に導き出した時間であり、例えば、１０秒程度とすることができる。
【００３４】
そして、比較の結果、算出したスライド表示時間が基準時間よりも短い場合は、ステップＳ１１２にスキップして家電機器用データの生成を行い、算出したスライド表示時間が基準時間よりも長い場合は、ステップＳ１０８で、画像挿入手段１５を用いて挿入する画像データの数量を算出する。具体的には、音楽データの再生時間（ＴＢＧＭ）と静止画像データの数量（ＮＰＨＯＴＯ）と必要に応じて動画データの再生時間（ＴＭＯＶＩＥ）と、予め定められたスライド表示時間の推奨値（ｔＳＬＩＤＥ）とに基づいて、下記式３又は４に従って挿入する画像データの数量（ＮＩＮＳＥＲＴ）を算出する。例えば、音楽データの再生時間が２分で静止画像データの数量が１０個、スライド表示時間の推奨値が８秒の場合は、挿入する静止画像データの数量は５個となる。このスライド表示時間の推奨値は上述した基準時間と同じ時間としてもよいし、基準時間よりも短い時間としてもよい。
【００３５】
ＮＩＮＳＥＲＴ＝ＴＢＧＭ／ｔＳＬＩＤＥ−ＮＰＨＯＴＯ      …（３）
ＮＩＮＳＥＲＴ＝（ＴＢＧＭ−ＴＭＯＶＩＥ）／ｔＳＬＩＤＥ−ＮＰＨＯＴＯ      …（４）
【００３６】
次に、ステップＳ１０９で、挿入する静止画像データを自動的に作成するか、ユーザ自らが手動で作成するかを選択し、自動で行う場合は、ステップＳ１１０で、画像挿入手段１５を用いて挿入する静止画像データを作成する。この挿入する静止画像データは、入力された静止画像データに関連するデータとしてもよいし、関連性の無いデータとしてもよく、その作成方法としては以下の３つが考えられる。
【００３７】
１番目の方法は、入力された静止画像データに基づいて挿入する静止画像データを新たに作成する方法である。例えば、図１１（ａ）に示すように、入力された静止画像データの中から、公知の画像処理技術を用いて特定の領域（例えば、人物が表示される領域）を抽出し、その領域をトリミングしたり、図１１（ｂ）に示すように、入力された静止画像データを回転したり、図１１（ｃ）に示すように、入力された静止画像データの色や濃度を変換して挿入する静止画像データを作成したり、図１１（ｄ）に示すように、入力された静止画像データに基づく画像が配列して表示（マルチ表示）される静止画像データを作成する。なお、挿入する静止画像データは、入力された静止画像データの各々に対して１つ作成してもよいし、複数作成してもよいし、入力された静止画像データ毎に作成数を変えてもよい。また、入力された静止画像データの全てに対して挿入する静止画像データを作成してもよいし、ステップＳ１０８で算出した静止画像データの数量が入力された静止画像データの数量よりも少ない場合は、入力された静止画像データの一部に対して挿入する静止画像データを作成してもよい。
【００３８】
２番目の方法は、入力された静止画像データの中から挿入する静止画像データを選択する方法である。例えば、入力された静止画像データの中から代表となる静止画像データ（例えば、１番目に入力された静止画像データ）を選択したり、入力された静止画像データの中から公知の画像処理技術を用いて特徴的な静止画像データ（例えば、人物が表示されている静止画像データ）を選択する。なお、この場合も、代表となる静止画像データや特徴的な静止画像データは１つ選択してもよいし複数選択してもよい。
【００３９】
３番目の方法は、予め記憶された静止画像データを利用する方法である。例えば、四季おりおりの風景を撮影した静止画像データなどを記憶手段１８に記憶しておき、その中から所望の静止画像データ（例えば、その時の季節に合った静止画像データなど）を選択する。なお、第１乃至第３の方法のいずれか一つを用いてもよいし、これらの方法を組み合わせてもよいし、上記以外の他の方法を用いてもよい。
【００４０】
また、ステップＳ１０９で挿入する画像データを手動で作成する場合は、ステップＳ１１１で、前述した画像選択画面２０などを用いて、ユーザ自身が挿入する静止画像データを選択したり、トリミングや回転、色変換、濃度変換などの処理を行ったり、記憶手段１８に予め記憶された静止画像データの中から所望の静止画像データを選択するなどの処理を行う。
【００４１】
その後、データ生成手段１６を用いて、入力された静止画像データ（又は静止画像データ及び動画データ）と挿入した静止画像データと音楽データとに基づいて家電機器用データを生成する。その方法について、図９及び図１０を参照して説明する。
【００４２】
まず、必要に応じて、入力された静止画像データや挿入する静止画像データをＹＵＶ形式（輝度、輝度と赤色成分の差、輝度と青色成分との差の３つの情報で色を表す形式）に変換した後、ステップＳ１１２で、データ生成手段１６を用いて、所定の形式（ここではＭＰＥＧ１形式）の動画データを作成する。また、入力された画像データの中に動画データが含まれており、その動画データのファイル形式が予め定められた形式と異なる場合は、動画データのファイル形式を変換する。上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００４３】
なお、動画データの作成に際して、挿入する静止画像データの挿入位置は、入力された静止画像データとの関連に基づいて適宜設定することができる。例えば、入力された静止画像データに基づいて挿入する静止画像データが作成されている場合は元画像と挿入画像との関連性が高いことから、図９に示すように、各々の元画像の後に対応する挿入画像を挿入してもよいし、記憶手段１８に記憶された画像データの中から挿入する静止画像データが選択されている場合は元画像と挿入画像との関連性が無いことから、図１０に示すように、元画像の後などの所定の位置に挿入画像を一括して挿入してもよいし、入力された静止画像データと挿入する静止画像データとを任意の順番で並び替えてもよい。
【００４４】
次に、ステップＳ１１３で、データ生成手段１６を用いて、動画データに音楽データを合成する。ここで、入力された画像データの中に動画データが含まれていない場合は、静止画像データから作成された動画データに音楽データを合成すればよいが、入力された画像データの中に動画データが含まれている場合は、音楽データの再生時間から動画データの再生時間を減じた時間、静止画像データのスライド表示が行われるため、音楽データを予め、動画データの再生時間分の動画用音楽データと静止画像データのスライド表示時間分の静止画用音楽データに分割しておき、静止画像データから作成された動画データ（Stillmovie）と静止画用音楽データ（BGM1S）とを合成し、入力された動画データ（Movie1）と動画用音楽データ（BGM1M）とを合成する。
【００４５】
次に、ステップＳ１１４で、データ生成手段１６を用いて、音楽データが合成されたＭＰＥＧ１形式の動画データを、家電機器で再生可能な形式のデータ（例えば、ＣＤ−Ｒの場合はＶｉｄｅｏ−ＣＤ形式、ＤＶＤ−Ｒの場合はＤＶＤ−Ｖｉｄｅｏ形式、Ｂｌｕ−ｒａｙディスクの場合はＨＤＴＶ形式のデータ）に変換する。その際、静止画像データから作成された動画データと入力された動画データとをまとめて変換して１つのデータとしてもよいし、静止画像データから作成した動画データを１セグメントとして変換してもよい。
【００４６】
次に、記録媒体９に入力された画像データと生成した家電機器用データとを記録するが、その際、家電機器ではデータを読み込むことができる記録領域が限定されるため、ステップＳ１１５で、データ記録手段１７は、家電機器用データを記録媒体９の論理アドレス領域の内周側に書き込む。この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４７】
次に、必要に応じてセッションをクローズした後、ステップＳ１１６で、データ記録手段１７は、必要に応じて、入力された静止画像データや動画データなどを記録媒体９の先に記録した家電機器用データの外側に書き込んで一連の処理を終了する。
【００４８】
上記手順で作成された記録媒体９には、図１５に示すように各種情報が記録され、ディスク型記録媒体９の最も内側の論理アドレス領域外には識別情報が記録されており、その外側に位置する論理アドレス領域の内周側には家電機器用データが記録され、更にその外側の領域にはコンピュータ機器データが記録される。
【００４９】
また、上記手順で作成された記録媒体９のディレクトリ構造は、例えば、図１４（ａ）に示すようになり、入力された静止画像データ及び動画データ、挿入された静止画像データ、音楽データ、スライドショー再生プログラム、スライドショーの設定ファイル、記録媒体９に関する各種情報が記述された情報ファイルなどでコンピュータ機器用データが構成され、”VCD”フォルダ内の画像データをＶｉｄｅｏ−ＣＤ形式として関連付ける画像データ、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成される。また、記録媒体９（ＤＶＤ−Ｒ）のディレクトリ構造は、例えば、図１４（ｂ）に示すようになり、家電機器用データは、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。より具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。
【００５０】
なお、画像データのディレクトリ構造は任意であるが、画像データをコンピュータ機器などにバックアップした場合における管理を容易にするために、例えば、図１４に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００５１】
このように、本実施例では、スライドショーを作成するために利用される静止画像データの数量と、画像と共に再生される音楽データの再生時間（又は音楽データの再生時間から動画データの再生時間を減算した時間）とから、式１又は２に従って静止画像データ毎のスライド表示時間が算出され、算出されたスライド表示時間が予め定められた基準時間よりも長い場合に、式３又は４に従って所定の数量の静止画像データの挿入処理が実行され、入力された静止画像データ（又は静止画像データ及び動画データ）と挿入された静止画像データと音楽データとに基づいてスライドショーが作成されるため、画像が間延びして表示されることのない、見栄えのよいスライドショーを簡単に作成することができる。
【００５２】
なお、本発明はスライド表示時間の算出処理及び画像挿入処理（ステップＳ１０６〜Ｓ１１１）に特徴を有するものであり、記録媒体の識別処理などの他の処理の順番や内容は適宜変更してもよい。
【図面の簡単な説明】
【００５３】
【図１】本発明の一実施例に係る記録装置の構成を模式的に示す図である。
【図２】本発明の一実施例に係る記録装置の他の構成を示す図である。
【図３】本発明の一実施例に係る記録装置の他の構成を示す図である。
【図４】本発明の一実施例に係る記録装置の他の構成を示す図である。
【図５】本発明の一実施例に係る記録装置の他の構成を示す図である。
【図６】本発明の一実施例に係る記録装置の他の構成を示す図である。
【図７】本発明の一実施例に係る記録装置の構成を示すブロック図である。
【図８】本発明の一実施例に係る記録装置を用いた処理の手順を示すフローチャート図である。
【図９】本発明の一実施例に係る記録装置を用いた家電機器用データの生成手順を模式的に示す図である。
【図１０】本発明の一実施例に係る記録装置を用いた家電機器用データの生成手順を模式的に示す図である。
【図１１】本発明の一実施例に係る挿入する静止画像データの例を示す図である。
【図１２】本発明の一実施例に係る記録装置の表示手段に表示される画面構成例（画像選択画面）を示す図である。
【図１３】本発明の一実施例に係る記録装置の表示手段に表示される画面構成例（ＢＧＭ選択画面）を示す図である。
【図１４】本発明の一実施例に係る記録媒体（ＣＤ−Ｒ）におけるデータの記録構造を示す図である。
【図１５】本発明の一実施例に係る記録媒体におけるデータの記録領域を模式的に示す図である。
【図１６】記録媒体（ＣＤ−Ｒ）の構造を模式的に示す図である。
【符号の説明】
【００５４】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  サーバ
１１  通信ネットワーク
１２  記録媒体識別手段
１３  データ入力手段
１４  スライド表示時間算出手段
１５  画像挿入手段
１６  データ生成手段
１７  データ記録手段
１８  記憶手段
１９  表示制御手段
２０  画像選択画面
２１  一覧表示欄
２２  拡大表示欄
２３  作業メニュー欄
２４  ＢＧＭ選択画面
２５  読み取り先選択欄
２６  一覧表示欄
１００  ポリカーボネート基板
１０１  有機色素層
１０２  反射層
１０３  保護層
【図１】
2007019923.tif 000003
【図２】
2007019923.tif 000004
【図３】
2007019923.tif 000005
【図４】
2007019923.tif 000006
【図５】
2007019923.tif 000007
【図６】
2007019923.tif 000008
【図７】
2007019923.tif 000009
【図８】
2007019923.tif 000010
【図９】
2007019923.tif 000011
【図１０】
2007019923.tif 000012
【図１１】
2007019923.tif 000013
【図１２】
2007019923.tif 000014
【図１３】
2007019923.tif 000015
【図１４】
2007019923.tif 000016
【図１５】
2007019923.tif 000017
【図１６】
2007019923.tif 000018